(57)【要約】【課題】浴槽設置部側に湯水等が浸入し難い浴室ユニットを提供することである。【解決手段】浴室ユニット１は、堰部２０を有する床パン２と、フランジ４０を有する浴槽３と、袖パネルと、エプロン６とを有している。エプロン６の背面１１側には、枠状部１０が設けられている。枠状部１０の外周面１２の上部側は、一次止水パッキン１３を介して、浴槽３のフランジ４０の裏面１２に係合している。枠状部１０の外周面１２の下部側は、一次止水パッキン１３を介して、堰部２０の天面２３に係合している。つまり、枠状部１０の外周面１２には、全周に渡って、一次止水パッキン１３で止水処理が施されている。一方、枠状部１０の端面１４は、二次止水パッキン２２を介して、堰部２０が有する水返し片２１に係合している。つまり、枠状部１０の下部側並びに両端側の端面１４には、二次止水パッキン２２で止水処理が施されている。【選択図】図４
2012200303.tif 000002
【特許請求の範囲】
【請求項１】
浴槽設置部と洗い場が区分された床パンと、エプロンと、フランジを備えた浴槽とを有する浴室ユニットにおいて、前記床パンは浴槽設置部と洗い場との境目に堰部を有し、前記堰部は床パンを横断し且つ床パンより盛り上がっており、堰部の両端には、堰部から鉛直方向に延びる袖パネルを有し、前記袖パネルは浴槽のフランジと当接可能であり、前記エプロンの背面には、堰部と、袖パネルと、フランジとに係合可能な枠状部を有し、前記枠状部の外周面に一次止水パッキンが設けられていることを特徴とする浴室ユニット。
【請求項２】
前記堰部と前記袖パネルは各々水返し片を有し、前記水返し片は前記枠状部の端面と当接可能であり、水返し片には二次止水パッキンが設けられていることを特徴とする請求項１に記載の浴室ユニット。
【発明の詳細な説明】
【技術分野】
【０００１】
本発明は、浴室ユニットに関し、さらに詳細には、床パンと、エプロンと、浴槽とを有する浴室ユニットに関する。
【背景技術】
【０００２】
ユニットバス方式の一般的な浴室ユニットにおいて、床パンは、洗い場側と浴槽設置側とに区分されており、洗い場側から浴槽設置側に水が浸入しないように止水処理が施されている。詳細には、浴槽のフランジと浴室の壁との間に水返し部材を設けることや、浴槽のフランジと床パンとの間にエプロンを設けることで、浴槽設置側の床パンに水が入らないように対策されている。その結果、浴槽のフランジより下側の周囲や底面が汚れることがなく清潔であり、清掃する手間が掛からない。
【０００３】
特許文献１には、エプロンの水返し構造が開示されている。特許文献１に記載されたエプロンの水返し構造では、平面視で略Ｆ字状のベース部を浴槽の両端部に立て、ベース部に平面視で略コ字状のエプロンを嵌めることで、ベース部の一部で一次止水を行い、エプロンで二次止水を行っている。このことにより、湯水が浴槽設置部に浸入することを確実に防ぐことができるとされている。
【先行技術文献】
【特許文献】
【０００４】
【特許文献１】特開２００６−５５４０４号公報
【発明の概要】
【発明が解決しようとする課題】
【０００５】
ところが、特許文献１に記載されたエプロンの水返し構造では、一次止水を行うためのベース部の一部が短く、床パンに届いていない。そのため、ベース部の一部は、シャワー等による上方からの湯水を防ぐことが可能であるが、床パンを這って流れてくる湯水は防ぐことができない。一方、二次止水を行うためのエプロンが設置されており、エプロンは床パンに直に当接している。つまり、本構造では、実質的に止水を行っているものはエプロンのみであり、ベース部の一部は一次止水の役割を十分に果たしているとは言えない。また、エプロンが床パンに直に当接しているだけであり、エプロンと床パンとの間に僅かな隙間が生じる恐れがある。例えば、勢いのある湯水等が流れた場合に、エプロンと床パンとの僅かな隙間から湯水等が浴槽設置部側に浸入する恐れがある。
【０００６】
そこで、本発明は、浴槽設置部側に湯水等が浸入し難い浴室ユニットを提供することを目的とする。
【課題を解決するための手段】
【０００７】
上記課題を解決するための請求項１に記載の発明は、浴槽設置部と洗い場が区分された床パンと、エプロンと、フランジを備えた浴槽とを有する浴室ユニットにおいて、前記床パンは浴槽設置部と洗い場との境目に堰部を有し、前記堰部は床パンを横断し且つ床パンより盛り上がっており、堰部の両端には、堰部から鉛直方向に延びる袖パネルを有し、前記袖パネルは浴槽のフランジと当接可能であり、前記エプロンの背面には、堰部と、袖パネルと、フランジとに係合可能な枠状部を有し、前記枠状部の外周面に一次止水パッキンが設けられていることを特徴とする浴室ユニットである。
【０００８】
本発明で採用する浴室ユニットは、床パンにおいて、浴槽設置部と洗い場との境目に、床パンを横断し且つ床パンより盛り上がった堰部を有している。堰部はいわゆる防波堤の役割を果たすものである。堰部の両端には、浴槽のフランジと当接可能な袖パネルが立設されている。換言すれば、堰部と袖パネルと浴槽のフランジとで、略枠が形成される。そして、エプロンの背面には、堰部と袖パネルとフランジとに係合可能な枠状部が設けられている。つまり略枠と枠状部とが係合することによって、エプロンが支持されるものである。すなわち、浴室ユニットにおけるエプロンの接続箇所が、エプロンの裏面側であり且つ防波堤よりも上側に位置するため、浴槽設置部側に湯水等が浸入し難い。さらに、枠状部の外周面に一次止水パッキンが設けられており、確実な止水処理を施すことができる。
【０００９】
請求項２に記載の発明は、前記堰部と前記袖パネルは各々水返し片を有し、前記水返し片は前記枠状部の端面と当接可能であり、水返し片には二次止水パッキンが設けられていることを特徴とする請求項１に記載の浴室ユニットである。
【００１０】
本発明で採用する浴室ユニットは、枠状部の端面と当接可能な水返し片が、堰部と袖パネルに各々設けられている。そして、水返し片には二次止水パッキンが設けられている。つまり、枠状部の端面は、二次止水パッキンで止水処理が施される。すなわち、前述の一次止水パッキンと二次止水パッキンとにより、二重の止水処理を施すことができる。その結果、浴槽設置部側に湯水等が浸入することを確実に防ぐことができる。
【発明の効果】
【００１１】
本発明によれば、浴槽設置部側に湯水等が浸入し難い構造を有することが可能である。
【図面の簡単な説明】
【００１２】
【図１】本発明の実施形態に係る浴室ユニットを示す分解斜視図である。
【図２】エプロンの形状を示す図であり、（ａ）は背面側から見た斜視図、（ｂ）は右側面図、（ｃ）は（ａ）のＡ−Ａ断面図である。
【図３】浴室ユニットの組立構造を示す正面図であり、（ａ）はエプロンが取り付けられる前の状態、（ｂ）はエプロンが取り付けられた後の状態を示す。
【図４】浴室ユニットの断面構造を示すものであり、図３（ｂ）のＢ−Ｂ断面図である。
【発明を実施するための形態】
【００１３】
以下、本発明の浴室ユニットの実施形態について、図面を参照しながら詳細に説明する。なお、以下の説明は、実施形態の理解を容易にするためのものであり、これによって、本発明が制限して理解されるべきではない。
【００１４】
図１に示す浴室ユニット１は、床パン２と、浴槽３と、袖パネル４，５と、エプロン６とを有している。
【００１５】
エプロン６は、防水用のいわゆる化粧パネルであり、背面１１側に枠状部１０が設けられている。枠状部１０は、図２（ａ）に示すように、略環状の部材である。枠状部１０は、エプロン６よりも二回り程度小さい。枠状部１０は、図２（ｂ）に示すように、エプロン６よりも上方に位置し、エプロン６から背面１１側に突出している。エプロン６と枠状部１０は、図２（ｃ）に示すように、一体成形されている。枠状部１０の外周面１２には、一次止水パッキン１３が接着されている。一次止水パッキン１３は、外周面１２の全周に渡って設けられている。なお、枠状部１０の端面１４（背面１１側）には、パッキン等は貼付されていない。
【００１６】
床パン２は、図１に示すように、従来公知の防水パンであり、堰部２０を有している。堰部２０は、床パン２より上方に突出した段部であり、断面視で略階段状を成している。堰部２０は、床パン２を横断しており、床パン２を浴槽設置部２４と洗い場２５とに区分している。図１の拡大図に示すように、堰部２０の天面２３には、水返し片２１が設けられている。水返し片２１は、天面２３の端部に立設されている。水返し片２１の正面側には、二次止水パッキン２２が全幅に渡って設けられている。
【００１７】
袖パネル４，５は、図１に示すように、一対の支持部材である。袖パネル４，５は、図３（ａ）に示すように、それぞれ堰部２０の天面２３の両端部に対向配置して使用するものである。袖パネル４，５は、相互に線対象となる形状を成しているため、それぞれの構成について、同一の符号を用いて説明する。袖パネル４，５は、それぞれ係合壁３０と支持柱３１とに区分される。係合壁３０と支持柱３１は一体成形されており、図１に示すように、天面３６は平面視で略Ｌ字状を成している。
【００１８】
袖パネル４，５の各々の係合壁３０は、円弧状の凹部３２を各々対向する内側に有している。凹部３２において、図１の拡大図に示すように、係合壁３０の端面３３も円弧状を成している。端面３３には、水返し片３４が設けられている。水返し片３４は、端面３３よりも内径側に突出する片であり、円弧状を成している。水返し片３４の正面側には、二次止水パッキン２２が全幅に渡って設けられている。一方、両側の支持柱３１は、天面３６よりも上方に突出する支持片３５を、それぞれ外側に備えている。
【００１９】
浴槽３は、図１に示すように、従来公知の浴槽であり、フランジ４０を有している。フランジ４０は、浴槽３の上部に位置する縁部材である。フランジ４０は、正面側に前垂れ部４１を有している。前垂れ部４１は、フランジ４０の裏面４２よりも下方向に延びている。
【００２０】
つぎに、浴室ユニット１の組立構造について、図３（ａ），（ｂ）を用いて説明する。なお、図３（ａ）においては、浴槽３は二点鎖線で図示している。
【００２１】
図３（ａ）は、浴室ユニット１において、エプロン６が取り付けられる前の状態を示すものである。床パン２の堰部２０の両端部には、袖パネル４，５が位置している。詳細には、堰部２０の天面２３に袖パネル４，５が載置されている。この状態において、袖パネル４，５の各々の水返し片３４は、堰部２０の水返し片２１と正面視で繋がった状態である。換言すれば、各々の水返し片３４に貼付された二次止水パッキン２２と、水返し片２１に貼付された二次止水パッキン２２も正面視で繋がった状態である。
【００２２】
一方、袖パネル４，５には、浴槽３のフランジ４０が当接している。詳細には、袖パネル４，５の天面３６に浴槽３のフランジ４０が載置されている。
【００２３】
図３（ｂ）は、浴室ユニット１において、エプロン６が取り付ける後の状態を示すものである。エプロン６の上端は、浴槽３の前垂れ部４１と当接しており、面一の化粧面を構成している。この状態において、エプロン６の背面１１側に設けられた枠状部１０は、浴槽３のフランジ４０と、袖パネル４と、堰部２０と、袖パネル５に係合している。詳細には、枠状部１０の外周面１２が、フランジ４０の裏面４２と、袖パネル４の端面３３と、堰部２０の天面２３と、袖パネル５の端面３３に係合している。
【００２４】
換言すると、枠状部１０の外周面１２の全周が、浴槽３のフランジ４０と、袖パネル４と、堰部２０と、袖パネル５とで支持されている。なお、枠状部１０の背面１１側の端面１４（図示省略）は、袖パネル４，５の各々の水返し片３４（図示省略）と、堰部２０の水返し片２１（図示省略）とに当接している。
【００２５】
つぎに、浴室ユニット１の断面構造について、図４を用いて説明する。図４において、エプロン６が有する枠状部１０は、前述の通り、上部側で浴槽３のフランジ４０に当接し、下部側で床パン２の堰部２０と当接している。詳細には、枠状部１０の外周面１２の上部側は、一次止水パッキン１３を介して、フランジ４０の裏面１２に係合している。枠状部１０の外周面１２の下部側は、一次止水パッキン１３を介して、堰部２０の天面２３に係合している。さらに、枠状部１０の両端側の外周面１２（図示省略）は、一次止水パッキン１３を介して、袖パネル４，５の端面３３（図示省略）に係合している。つまり、枠状部１０の外周面１２には、全周に渡って、一次止水パッキン１３で止水処理が施されている。
【００２６】
一方、枠状部１０の下部側の端面１４は、堰部２０の水返し片２１（図示省略）に係合している。詳細には、枠状部１０の端面１４は、二次止水パッキン２２を介して、水返し片２１に係合している。さらに、枠状部１０の両端側の端面１４（図示省略）は、二次止水パッキン２２を介して、袖パネル４，５の各々の水返し片３４（図示省略）に係合している。つまり、枠状部１０の下部側並びに両端側の端面１４には、二次止水パッキン２２で止水処理が施されている。
【００２７】
以上の通り、本発明の実施形態に係る浴室ユニット１によれば、一次止水パッキン１３並びに二次止水パッキン２２による止水処理が施されているため、洗い場２５側から浴槽設置部２４側に、湯水等が浸入し難い。
【符号の説明】
【００２８】
１    浴室ユニット
２    床パン
３    浴槽
４，５    袖パネル
６    エプロン
１０    枠状部
１１    背面
１３    一次止水パッキン
２０    堰部
２１，３４    水返し片
２２    二次止水パッキン
２４    浴槽設置部
２５    洗い場
４０    フランジ
【図１】
2012200303.tif 000003
【図２】
2012200303.tif 000004
【図３】
2012200303.tif 000005
【図４】
2012200303.tif 000006